(57)【要約】【課題】従来の防音ドアと同一の枠形状でありながら、より高い防音効果のある防音パッキンおよび防音ドア構造を提供する。【解決手段】枠体Ｆに対しドアＤを開閉自在に取付けた防音ドアに設けられる防音パッキンであって、枠体Ｆに取付けられており、ドアＤの閉止時にドア側部材に当る第１パッキンＰ１と、ドアＤに取付けられており、ドアＤの閉止時に枠体側部材に当る第２パッキンＰ２とからなる。ドア側部材は、ドアに取付けられている第２パッキンＰ２である。枠体側部材は、枠体Ｆに取付けられている第１パッキンＰ１の収容ポケット１０に形成されているエッジ部１４である。上記の防音パッキンを用いた防音ドア構造では、ドアの閉止時において、第１パッキンＰ１がドアＤに当った状態で第２パッキンＰ２にも当るので、密閉個所が、２カ所となるので遮音性が高くなる。【選択図】図１
2005299289.tif 000002
【特許請求の範囲】
【請求項１】
枠体に対しドアを開閉自在に取付けた防音ドアに設けられる防音パッキンであって、
前記枠体に取付けられており、前記ドアの閉止時にドア側部材に当る第１パッキンと、
前記ドアに取付けられており、該ドアの閉止時に枠体側部材に当る第２パッキンと
からなることを特徴とする防音パッキン。
【請求項２】
前記ドア側部材が、前記ドアに取付けられている前記第２パッキンである
ことを特徴とする請求項１記載の防音パッキン。
【請求項３】
前記枠体側部材が、前記枠体に取付けられている前記第１パッキンの収容ポケットに形成されているエッジ部である
ことを特徴とする請求項１記載の防音パッキン。
【請求項４】
請求項１記載の防音パッキンが、片開きドアにおける吊元側と戸先側に設けられている
ことを特徴とする防音ドア構造。
【請求項５】
前記防音パッキンが、片開きドアの上部に、さらに設けられている
ことを特徴とする請求項４記載の防音ドア構造。
【請求項６】
前記防音パッキンが、片開きドアの上部と下部に、さらに設けられている
ことを特徴とする請求項４記載の防音ドア構造。
【請求項７】
請求項１記載の防音パッキンが、両開きドアにおける親扉と子扉の、それぞれの吊元側に設けられている
ことを特徴とする防音ドア構造。
【請求項８】
前記防音パッキンが、両開きドアの親扉と子扉のそれぞれの上部に、さらに設けられている
ことを特徴とする請求項７記載の防音ドア構造。
【請求項９】
前記防音パッキンが、両開きドアの親扉と子扉のそれぞれの上部と下部に、さらに設けられている
ことを特徴とする請求項７記載の防音ドア構造。
【請求項１０】
前記両開きドアの召合部において、親扉と子扉のそれぞれの戸先に、相手方部材に当る第３パッキンおよび第４パッキンを取付け、かつ子扉に親扉のドア側部材に当る第５パッキンを取付けた
ことを特徴とする請求項７記載の防音ドア構造。
【発明の詳細な説明】
【技術分野】
【０００１】
本発明は、防音パッキンおよび防音ドア構造に関する。さらに詳しくは、ドアと枠体の間に、ドアを閉めたとき枠体との間で気密性を持たせるゴムパッキン等が取付けられ、このゴムパッキンにより防音機能をもたせた防音ドアがある。本発明は、このような防音ドアに用いられるパッキンとドア構造に関する。
【背景技術】
【０００２】
図１１は、従来例１の防音ドア構造を示している。枠体ＦとドアＤの間に、気密を保つためのゴムパッキン101を枠体Ｆ側に取付け、ドアＤの壁面に対して垂直方向に配設している。この構造により、ドア閉止時に枠体ＦとドアＤの間の隙間をゴムパッキン101により遮蔽でき、防音することができる（特許文献１）。この従来例１は、いわゆる一般的に簡易気密ドアと呼ばれるタイプで、高性能の防音効果は期待できない。
図１２は従来例２の防音ドア構造を示している。枠体ＦとドアＤの間に、気密を保つためのゴムパッキン102を枠体Ｆ側に取付け、ドアＤの壁面に対して垂直方向に配設している。この構造により、ドア閉止時に枠体ＦとドアＤの間の隙間をゴムパッキンにより遮蔽し防音できる点は従来例１と同様である。さらに、この従来例２は、ゴムパッキン102の圧縮を強くするため、ゴムパッキン102に圧着する扉部に先端が尖ったエッジ部材103を取付けてあるのが特徴で、従来例１よりもより高い防音効果がある（特許文献２）。ただし、エッジ部材103はステンレス製を使用するのが一般的であり、また部品点数も増加することにより、従来例１よりも高価になる欠点がある。
図１３は従来例３の防音ドア構造を示している。枠体ＦとドアＤの間に、２個のゴムパッキン103,104を枠体Ｆ側でドアＤの壁面に対して垂直方向に配設しており、いわゆる二重パッキン構造としている。この構造により、ドア閉止時に枠体ＦとドアＤの間の隙間をゴムパッキンにより二重に遮蔽し防音することができる（特許文献３）。この従来例３は、従来例１に対してより高い防音効果をあげることができる。ただし、従来例１，２に比べ、同一外形寸法のドアに対して枠体Ｆの幅が広くなることから、人が通過する開口部Ｏｐの面積が小さくなるという利用上の欠点がある。また、枠体Ｆにゴムパッキン103,104を挿入するためのポケット105が二重になっているため、鋼板の折曲加工が複雑になるという製造上の欠点がある。
【０００３】
【特許文献１】特開平９−１８４３７７号
【特許文献２】実開平４−４８３９０号
【特許文献３】実開平５−５２１８５号
【発明の開示】
【発明が解決しようとする課題】
【０００４】
本発明は上記事情に鑑み、従来例１，２の防音ドアと同様の広い開口面積を確保しながら、より高い防音効果を達成できる防音パッキンおよび防音ドア構造を提供することを目的とする。
【課題を解決するための手段】
【０００５】
第１発明の防音パッキンは、枠体に対しドアを開閉自在に取付けた防音ドアに設けられる防音パッキンであって、前記枠体に取付けられており、前記ドアの閉止時にドア側部材に当る第１パッキンと、前記ドアに取付けられており、該ドアの閉止時に枠体側部材に当る第２パッキンとからなることを特徴とする。
第２発明の防音パッキンは、第１発明において、前記ドア側部材が、前記ドアに取付けられている前記第２パッキンであることを特徴とする。
第３発明の防音パッキンは、第１発明において、前記枠体側部材が、前記枠体に取付けられている前記第１パッキンの収容ポケットに形成されているエッジ部であることを特徴とする。
第４発明の防音ドア構造は、請求項１記載の防音パッキンが、片開きドアにおける吊元側と戸先側に設けられていることを特徴とする。
第５発明の防音ドア構造は、第４発明において、前記防音パッキンが、片開きドアの上部に、さらに設けられていることを特徴とする。
第６発明の防音ドア構造は、第４発明において、前記防音パッキンが、片開きドアの上部と下部に、さらに設けられていることを特徴とする。
第７発明の防音ドア構造は、請求項１記載の防音パッキンが、両開きドアにおける親扉と子扉の、それぞれの吊元側に設けられていることを特徴とする。
第８発明の防音ドア構造は、第７発明において、前記防音パッキンが、両開きドアの親扉と子扉のそれぞれの上部に、さらに設けられていることを特徴とする。
第９発明の防音ドア構造は、第７発明において、前記防音パッキンが、両開きドアの親扉と子扉のそれぞれの上部と下部に、さらに設けられていることを特徴とする。
第１０発明の防音ドア構造は、第７発明において、前記両開きドアの召合部において、親扉と子扉のそれぞれの戸先に、相手方部材に当る第３パッキンおよび第４パッキンを取付け、かつ子扉に親扉のドア側部材に当る第５パッキンを取付けたことを特徴とする。
【発明の効果】
【０００６】
第１発明によれば、ドアの閉止時において、第１パッキンがドア側部材に当り、第２パッキンが枠体側部材に当るので、密閉個所が２カ所となって、遮音性が高くなる。しかも、枠体には第１パッキンしか取付けていないので、枠体の幅を大きくする必要がなく、人が通る開口部を広く確保できる。
第２発明によれば、ドアの閉止時において、第１パッキンがドア側部材である第２パッキンに当り、パッキン同士で当ることによって密閉性が達成され、遮音性が高くなる。
第３発明によれば、ドアの閉止時において、第２パッキンが枠体側部材である第１パッキンの収容ポケットのエッジ部に当るので、密閉性が高まり、遮音性もより高くなる。
第４発明によれば、片開きドアにおける吊元側と戸先側に防音パッキンが取付けられるので、ドアの隙間の多くの部分が密閉され、高い防音性が得られる。
第５発明によれば、さらに、ドアの上部も防音パッキンで密閉されるので、隙間が減り、より高い防音性が得られる。
第６発明によれば、さらになお、ドアの下部も防音パッキンで密閉されるので、ドアの隙間が無くなり、さらにより高い防音性が得られる。
第７発明によれば、両開きドアにおける親扉と子扉のそれぞれの吊元側に防音パッキンが取付けられているので、ドアの隙間に密閉される部分ができ、高い防音性が得られる。
第８発明によれば、さらに、ドアの上部も防音パッキンで密閉されるので、隙間が減り、より高い防音性が得られる。
第９発明によれば、さらになお、ドアの下部も防音パッキンで密閉されるので、ドアの隙間が無くなり、さらにより高い防音性が得られる。
第１０発明によれば、両開きドアの召合部でも隙間を密閉できるので、音の漏れる隙間が全くなくなり、非常に高い防音性が得られる。
【発明を実施するための最良の形態】
【０００７】
つぎに、本発明の実施形態を図面に基づき説明する。
（防音パッキン）
まず、防音パッキンの実施形態を説明する。図１は本発明の一実施形態に係る防音パッキンの説明図である。図２は本発明の他の実施形態に係る防音パッキンの説明図である。
【０００８】
図１において、Ｆは枠体、Ｄはドアである。本実施形態の防音パッキンは、第１パッキンＰ１と第２パッキンＰ２とから構成されている。
第１パッキンＰ１および第２パッキンＰ２を総称するときは、単にパッキンというが、パッキン自体の構造は、公知のドア用パッキンや将来開発されるドア用パッキンのいずれも特に制限なく使用できる。必要とされる構成は、枠体やドアに形成されたポケットに収容される基部と、その上面に形成される当接部を有していればよい。もちろん、基部と当接部の間に弾力部を有するものであってもよく、当接部を中空にしてマグネット棒を挿入したものであってもよい。
図示したパッキンにおける基部１は厚肉の断面略四角形の筒状部材であり、その基部１の左右両側面には、抜止めリブ１ｂが形成されている。
当接部３は可撓性を有する断面略四角形の筒状部材であり、その内部は中空となっている。
上記の基部１と当接部３は、ゴム等の弾力性を有する部材で一体成形されている。
【０００９】
１０は第１パッキンＰ１を収容するポケットである。このポケット１０は、枠体１を形成するメッキ鋼板やステンレス鋼などの金属板を折り曲げて構成したもので、枠体１の側壁をそのまま兼用した内側壁１１と、底壁１２と、折り曲げて２枚重ねにした外側壁１３とからなる。
２０は、第２パッキンＰ２を収容するポケットである。このポケット２０は、ドアＤを形成するメッキ鋼板やステンレス鋼などの金属板を折り曲げて構成したもので、ドアＤの側壁をそのまま兼用した内側壁２１と、底壁２２と、外側壁２３とからなる。
【００１０】
第１パッキンＰ１は、枠体１側に取付けられる。すなわち、基部１がポケット１０に収容して固定され、当接部３の頂面がドアＤの壁面に垂直に向くように配置される。
第２パッキンＰ２は、ドアＤ側に取付けられる。すなわち、基部１がポケット２０に収容して固定され、当接部３の頂面が、前記第１パッキンＰ１の当接部３の側面に当るように配置される。
【００１１】
この実施形態では、ドアＤを閉じた状態では、第１パッキンＰ１がドアＤの壁面に当った状態で第２パッキンＰ２にも当るので、第１パッキンＰ１のドアＤに対する密着度が高まる。そして、密閉個所が、第１パッキンＰ１がドアＤに当った１カ所と、第２パッキンＰ２に当った１カ所の計２カ所となるので、遮音性が高くなる。
なお、特許請求の範囲にいう「ドア側部材」とは、ドアＤを構成する壁面やポケット２０、ドアＤ側に取付けられた第２パッキンＰ２を総称する概念である。
【００１２】
図２には、他の実施形態の防音パッキンを示している。
第１パッキンＰ１および第２パッキンＰ２自体は、図１の実施形態と同様である。また、ドアＤ側のポケット２０も図１と同様である。枠体Ｆ側のポケット１０は図１のものと下記の点で相違している。
すなわち、ポケット１０の外側壁１３は少し長くなっており、鋼板等を二重に折り曲げた先端部はエッジ部１４となっている。このエッジ部１４がドアＤの閉止時において第２パッキンＰ２の当接部３に当るようになっている。
【００１３】
この実施形態では、ドアの閉止時において、密着個所が、第１パッキンＰ１がドアＤに当った１カ所と、ポケット１０のエッジ部１４が第２パッキンＰ２に当った１カ所の計２カ所となる。そして、エッジ部１４は第２パッキンＰ２の当接部３に強く当るので、遮音性が高くなる。
なお、特許請求の範囲にいう「枠体側部材」とは、枠体Ｆを構成する壁面やポケット１０、枠体Ｆ側に取付けられた第１パッキンを総称する概念である。
【００１４】
（防音ドア構造）
つぎに、片開きドアに前記防音パッキンを適用した防音ドア構造を、図３〜図６に基づき説明する。
図３は片開きドアの内側から見た正面図であり、Ｆは枠体、Ｄはドア、ＨはドアＤを枠体Ｆに開閉自在に取付ける蝶番、ＮはドアＤの取手である。枠体Ｆは、ドアＤの周囲を囲む四角形の枠である。なお、ドアＤの蝶番Ｈ取付側を吊元側Ｔ１といい、取手Ｎ取付側を戸先側Ｔ２という。
図４〜図６は、このような片開きドアに対する前記防音パッキンの適用例を示している。
【００１５】
図４は、片開きドアの吊元側Ｔ１と戸先側Ｔ２に、図１の防音パッキンをそれぞれ取付けたものである。すなわち、吊元側Ｔ１に第１パッキンＰ１と第２パッキンＰ２の組合せを配置し、戸先側Ｔ２にも第１パッキンＰ１と第２パッキンＰ２の組合せを配置している。
この実施形態であると、ドアＤの隙間の多くの部分が密閉され、高い防音性が得られる。また、第１パッキンＰ１がドア側部材である第２パッキンＰ２に当り、パッキン同士で当ることによって密閉性が達成されるので、遮音性が高くなる。しかも、枠体Ｆには第１パッキンＰ１しか取付けていないので、枠体Ｆの幅を大きくする必要がなく、人が通る開口部が狭くなることもない。すなわち、図１１〜図１２の従来例１，２と同レベル位に広い開口部を確保できる。
【００１６】
図５は、片開きドアの吊元側Ｔ１と戸先側Ｔ２に、図２の防音パッキンをそれぞれ取付けたものである。すなわち、吊元側Ｔ１に第１パッキンＰ１と第２パッキンＰ２の組合せを配置し、戸先側Ｔ２にも第１パッキンＰ１と第２パッキンＰ２の組合せを配置している。
この実施形態であると、ドアＤの隙間の多くの部分が密閉され、高い防音性が得られる。また、第２パッキンＰ２が枠体側部材である第１パッキンＰ１の収容ポケット１０のエッジ部１４に当るので、密閉性が高まり、遮音性もより高くなる。しかも、枠体Ｆには第１パッキンＰ１しか取付けていないので、枠体Ｆの幅を大きくする必要がなく、人が通る開口部が狭くなることもない。すなわち、図１１〜図１２の従来例１，２と同レベル位に広い開口部を確保できる。
【００１７】
図６の（Ａ）図は、片開きドアの上部にも図１の防音パッキンを取付けたものである。図では、図１に示す第１パッキンＰ１と第２パッキンＰ２の組合せを取付けた例を示しているが、図２に示す第１パッキンＰ１と第２パッキンＰ２の組合せを取付けてもよい。なお、Ｇはドア閉止時にパッキンがバネの付勢力によって下降して密閉し、ドアの開閉動作時にはパッキンを上方に格納しておく公知の昇降パッキンである。
この実施形態であると、ドアＤの上部も防音パッキンＰ１，Ｐ２で密閉されるので、隙間が減り、より高い防音性が得られる。
【００１８】
図６の（Ｂ）図は、片開きドアの上部と下部にも図１の防音パッキンを取付けたものである。図では、図１に示す第１パッキンＰ１と第２パッキンＰ２の組合せを取付けた例を示しているが、図２に示す第１パッキンＰ１と第２パッキンＰ２の組合せを取付けてもよい。
この実施形態であると、ドアＤの下部も防音パッキンで密閉されるので、ドアの隙間が無くなり、さらにより高い防音性が得られる。
【００１９】
図７は両開きドアの内側から見た正面図であり、Ｆは枠体、Ｄ１は親扉、Ｄ２は子扉、Ｈは蝶番、Ｎは取手である。枠体ＦはドアＤ１，Ｄ２を囲む四角形の枠である。親扉Ｄ１も子扉Ｄ２も蝶番Ｈ取付側を吊元側Ｔ１といい、各ドアＤ１，Ｄ２の自由端側を戸先側という。また、親扉Ｄ１の戸先側と子扉Ｄ２の戸先側の合う部分を召合部Ｔ３という。
【００２０】
図８は、両開きドアにおける親扉Ｄ１と子扉Ｄ２のそれぞれの吊元側Ｔ１，Ｔ１に、図１の防音パッキンをそれぞれ取付けたものである。すなわち、親扉Ｄ１の吊元側Ｔ１に第１パッキンＰ１と第２パッキンＰ２の組合せを配置し、子扉Ｄ２の吊元側Ｔ１にも第１パッキンＰ１と第２パッキンＰ２の組合せを配置している。
この実施形態であると、両開きドアの隙間に密閉される部分ができ、高い防音性が得られる。また、第１パッキンＰ１がドア側部材である第２パッキンＰ２に当り、パッキン同士で当ることによって密閉性が高まるので、遮音性が高くなる。しかも、枠体Ｆには第１パッキンＰ１しか取付けていないので、枠体Ｆの幅を大きくする必要がなく、人が通る開口面積を大きく確保することができる。
【００２１】
さらに、上記実施形態では、親扉Ｄ１と子扉Ｄ２の召合部において、親扉Ｄ１と子扉Ｄ２のそれぞれの戸先に、相手方部材に当る第３パッキンおよび第４パッキンを取付け、かつ子扉に親扉のドア側部材に当る第５パッキンを取付けている。すなわち、第３パッキンＰ３は親扉Ｄ１に取付けており、ドア閉止時に第４パッキンＰ４の先端に当り、第４パッキンＰ４は子扉Ｄ２に取付けており、ドア閉止時に前記第３パッキンＰ３の先端に当るようになっている。このように２個のパッキンＰ３，Ｐ４が互いに当接することで、召合部での１段目の密閉ができる。
そして、子扉Ｄ２にはポケット１０を取付け、このポケット１０に収容された第５パッキンＰ５は親扉Ｄ１の壁面に直角に当るようになっている。この第５パッキンＰ５で２段目の密閉ができる。
以上の構成であると、両開きドアの召合部Ｔ３でも隙間を密閉できるので、音の漏れる隙間が全くなくなり、非常に高い防音性が得られる。
【００２２】
図９は、両開きドアにおける親扉Ｄ１と子扉Ｄ２のそれぞれの吊元側Ｔ１，Ｔ１に、図２の防音パッキンをそれぞれ取付けたものである。すなわち、親扉Ｄ１の吊元側Ｔ１に第１パッキンＰ１と第２パッキンＰ２の組合せを配置し、子扉Ｄ２の吊元側Ｔ１にも第１パッキンＰ１と第２パッキンＰ２の組合せを配置している。なお、召合部にも図８の実施形態と同様に第３〜第５パッキンＰ３，Ｐ４，Ｐ５で、二重の密閉構造をとっている。
この実施形態であると、ドアの隙間に密閉される部分ができ、高い防音性が得られる。また、第２パッキンＰ２が枠体側部材である第１パッキンＰ１の収容ポケット１０のエッジ部１４に当るので、密閉が確実になり、遮音性も高くなる。しかも、枠体には第１パッキンしか取付けていないので、枠体の幅を大きくする必要がなく、人が通る開口面積を大きく確保することができる。
【００２３】
図１０の（Ａ）図は、両開きドアの上部にも図１の防音パッキンを取付けたものである。図では、図１に示す第１パッキンＰ１と第２パッキンＰ２の組合せを取付けた例を示しているが、図２に示す第１パッキンＰ１と第２パッキンＰ２の組合せを取付けてもよい。なお、Ｇはドア閉止時にパッキンがバネの付勢力によって下降して密閉し、ドアの開閉動作時にはパッキンを上方に格納しておく公知の昇降パッキンである。
この実施形態であると、ドアの上部も防音パッキンＰ１，Ｐ２で密閉されるので、隙間が減り、より高い防音性が得られる。
【００２４】
図１０の（Ｂ）図は、両開きドアの上部と下部にも図１の防音パッキンを取付けたものである。図では、図１に示す第１パッキンＰ１と第２パッキンＰ２の組合せを取付けた例を示しているが、図２に示す第１パッキンＰ１と第２パッキンＰ２の組合せを取付けてもよい。
この実施形態であると、ドアＤの下部も防音パッキンで密閉されるので、ドアの隙間が無くなり、さらにより高い防音性が得られる。
【図面の簡単な説明】
【００２５】
【図１】本発明の一実施形態に係る防音パッキンの説明図である。
【図２】本発明の他の実施形態に係る防音パッキンの説明図である。
【図３】本発明が適用される片開きドアの説明図であって、（Ａ）図は正面図、（Ｂ）図は横断面図である。
【図４】本発明の第１実施形態に係る防音ドア構造の横断面図である。
【図５】本発明の第２実施形態に係る防音ドア構造の横断面図である。
【図６】（Ａ）図は本発明の第３実施形態に係る防音ドア構造の縦断面図、（Ｂ）図は第４実施形態に係る防音ドア構造の縦断面図である。
【図７】本発明が適用される両開きドアの説明図であって、（Ａ）図は正面図、（Ｂ）図は横断面図である。
【図８】本発明の第５実施形態に係る防音ドア構造の横断面図である。
【図９】本発明の第６実施形態に係る防音ドア構造の横断面図である。
【図１０】（Ａ）図は本発明の第７実施形態に係る防音ドア構造の横断面図、（Ｂ）図は本第８実施形態に係る防音ドア構造の横断面図である。
【図１１】従来例１の防音ドア構造の横断面図である。
【図１２】従来例２の防音ドア構造の横断面図である。
【図１３】従来例３の防音ドア構造の横断面図である。
【符号の説明】
【００２６】
１    基部
３    当接部
１０    ポケット
１４    エッジ部
Ｐ１    第１パッキン
Ｐ２    第２パッキン
【図１】
2005299289.tif 000003
【図２】
2005299289.tif 000004
【図３】
2005299289.tif 000005
【図４】
2005299289.tif 000006
【図５】
2005299289.tif 000007
【図６】
2005299289.tif 000008
【図７】
2005299289.tif 000009
【図８】
2005299289.tif 000010
【図９】
2005299289.tif 000011
【図１０】
2005299289.tif 000012
【図１１】
2005299289.tif 000013
【図１２】
2005299289.tif 000014
【図１３】
2005299289.tif 000015